【手続補正書】
【提出日】平成20年9月10日(2008.9.10)
【手続補正１】
【補正対象書類名】明細書
【補正対象項目名】特許請求の範囲
【補正方法】変更
【補正の内容】
【特許請求の範囲】
【請求項１】  通信ネットワークを設計、配備、または最適化するための特定場所向けの方法であって、
それぞれが前記通信ネットワークの性能に影響を与える属性を有することができる複数の異なるオブジェクトを有する空間のコンピュータ化モデルを生成するステップと、
前記空間内における少なくとも１つの選択された場所についての望ましい性能メトリックを設定するステップと、
前記通信ネットワークで使用可能な複数の異なるコンポーネントの性能属性をモデル化するステップと、
前記通信ネットワークで使用される前記複数の異なるコンポーネントからコンポーネントを指定するステップと、
前記コンピュータ化モデルにおける前記指定されたコンポーネントについての前記空間内における場所を指定するステップと、
前記空間内における前記少なくとも１つの選択された場所についての予測される性能メトリックを、前記指定されたコンポーネントおよび前記指定された場所に基づいて予測するステップと、
前記予測される性能メトリックを前記望ましい性能メトリックとコンピュータ制御下において比較するステップとを有し、
前記コンポーネントを指定するステップまたは場所を指定するステップは、コンピュータ制御により、望ましい比較結果が得られるまで複数回自動的に実行されることを特徴とする、通信ネットワークを設計、配備、または最適化するための特定場所向けの方法。
【請求項２】  前記指定されたコンポーネントについての構成を指定するステップをさらに備える、請求項１に記載の方法。
【請求項３】  前記構成を指定するステップは、前記指定されたコンポーネントの前記空間の前記指定された場所における方向を定義するステップを含む、請求項２に記載の方法。
【請求項４】  前記指定するステップで指定される前記コンポーネントの少なくともいくつかは、無線通信コンポーネントである、請求項１に記載の方法。
【請求項５】  前記無線通信コンポーネントの少なくともいくつかは、アンテナである、請求項４に記載の方法。
【請求項６】  前記望ましい性能メトリックおよび前記予測される性能メトリックは、受信信号強度、スループット、帯域幅、サービス品質、ビット誤り率、パケット誤り率、フレーム誤り率、パケット廃棄率、パケット待ち時間、ラウンドトリップ時間、伝播遅延、送信遅延、処理遅延、待ち行列遅延、容量、パケットジッタ、帯域幅遅延積、ハンドオフ遅延時間、信号対干渉比、信号対雑音比、物的装置価格、保守要求、価値低下および設置コストからなる群から選択される、請求項１に記載の方法。
【請求項７】  前記空間の前記コンピュータ化モデルは、３次元である、請求項１に記載の方法。
【請求項８】  前記場所を指定するステップは、グラフィカルインタフェースで実行される、請求項１に記載の方法。
【請求項９】  前記場所を指定するステップは、前記指定されたコンポーネントについての場所の属性を指定することによって実行される、請求項１に記載の方法。
【請求項１０】  通信ネットワークをモデル化するための特定場所向けの方法であって、
通信ネットワークが配備されるか、または、配備される予定の現場の現場地図を表示するステップと、
前記通信ネットワークで使用されるか、または、使用され得る複数のコンポーネントであって、前記複数のコンポーネントの１つまたは２つ以上のコンポーネントは、データベースに格納された性能データ、コストデータ、保守データ、および装置設定の少なくとも１つを有する、複数のコンポーネントを含む前記通信ネットワークの可能な構成を、前記ディスプレイの前記現場地図上にコンピュータ表示させるステップと、
前記通信ネットワークの望ましい構成の１つまたは２つ以上のパラメータを設定するステップと、
ａ）前記通信ネットワークの前記構成内における１つまたは２つ以上のコンポーネント、および
ｂ）前記通信ネットワークの前記構成内における１つまたは２つ以上のコンポーネントの装置設定、
の少なくとも１つを変更するステップと、
前記構成するステップおよび前記変更するステップによって生成される前記現場内の前記通信ネットワークについての予測されるパラメータまたは測定されるパラメータを決定するステップと、
前記予測されるパラメータまたは測定されるパラメータを決定するステップによって生成される、予測されるパラメータまたは測定されるパラメータと、前記設定するステップによって設定される前記望ましい構成の前記１つまたは２つ以上のパラメータとの比較に基づいて、前記通信ネットワークの１つまたは２つ以上の最適化された構成または好ましい構成をコンピュータ制御下において決定するステップとを有し、
前記コンピュータ制御により自動的に変更するステップは、双方向プロセスにおいてある種のコンポーネントまたは前記１つまたは２つ以上のコンポーネントを変更することを特徴とする、通信ネットワークをモデル化するための特定場所向けの方法。
【請求項１１】  前記予測されるパラメータまたは測定されるパラメータを決定するステップは、前記通信ネットワークについて測定されるパラメータを決定する、請求項１０に記載の方法。
【請求項１２】  前記予測されるパラメータまたは測定されるパラメータを決定するステップは、前記通信ネットワークについて予測されるパラメータを決定する、請求項１０に記載の方法。
【請求項１３】  前記複数のコンポーネントの１つまたは２つ以上のコンポーネントは、基地局、基地局制御装置、増幅器、減衰器、アンテナ、同軸ケーブル、光ファイバケーブル、スプリッタ、リピータ、トランスデューサ、変換器、カプラ、漏れフィーダケーブル、ハブ、スイッチ、ルータ、ファイアウォール、ＭＩＭＯシステム、センサ、配電線、配線、ツイストペアケーブルおよび無線アクセスポイントまたは他のアクセスポイントからなる群から選択される、請求項１０に記載の方法。
【請求項１４】  前記望ましい構成の前記１つまたは２つ以上のパラメータは、無線信号強度、接続性、ネットワークスループット、ビット誤り率、フレーム誤り率、信号対干渉比、信号対雑音比、毎秒当たりのフレーム解像度、トラフィック、容量、信号強度、スループット、誤り率、パケット待ち時間、パケットジッタ、シンボルジッタ、サービス品質、セキュリティ、カバレージエリア、帯域幅、サーバ識別パラメータ、送信機識別パラメータ、最良のサーバ位置、送信機位置パラメータ、請求情報、ネットワーク性能パラメータ、Ｃ／Ｉ、Ｃ／Ｎ、本体損失、床からの高さ、地面からの高さ、雑音指数、安定したカバレージ位置、伝搬損失指数、到来角、マルチパスコンポーネント、マルチパスパラメータ、アンテナ利得、雑音レベル反射率、表面粗さ、パス損失モデル、減衰定数、スループット性能メトリック、パケット誤り率、ラウンドトリップ時間、パケット廃棄率、待ち行列遅延、信号レベル、干渉レベル、サービス品質、帯域幅遅延積、ハンドオフ遅延時間、信号損失、データ損失、サービスを受けるユーザ数、ユーザ密度、十分なカバレージの場所、ハンドオフ地点、十分なスループットの場所、ＥＣ／ＩＯ、システム性能パラメータ、装置価格、保守およびコストの情報、ユーザクラスまたはサブクラス、ユーザタイプ、位置ロケーション、絶対的表現または相対的表現のいずれかのすべてから選択される、請求項１０に記載の方法。
【手続補正２】
【補正対象書類名】明細書
【補正対象項目名】発明の名称
【補正方法】変更
【補正の内容】
【発明の名称】最適な通信ネットワーク装置のモデル、位置および構成の自動選択の方法およびシステム